(57)【特許請求の範囲】
【請求項１】
電流を出力する端子と電流が戻る端子を有する整流回路と、
第１端子と第２端子を有するＬＥＤ列と、
電圧入力端子及び第１基準電圧出力端子を備える平滑回路と、
第１電流入力端子、第１電流出力端子及び第１基準電圧入力端子を備える第１電流制限回路と、を備え、
前記電流を出力する端子は、前記第１端子に接続し、
前記第２端子は、前記第１電流入力端子に接続し、
前記電圧入力端子は、前記電流を出力する端子から前記第２端子に至る電流経路に接続し、
前記第１基準電圧出力端子は、前記第１基準電圧入力端子に接続し、
前記第１電流出力端子は、前記電流が戻る端子に接続し、
前記整流回路は、交流電圧を全波整流し、
前記平滑回路は、前記電圧入力端子の電圧を平滑し、平滑した電圧を前記第１基準電圧出力端子から出力し、
前記第１電流制限回路は、前記ＬＥＤ列に含まれるＬＥＤが発光しているとき、前記第１電流入力端子に流れる電流が前記第１基準電圧入力端子の電圧で調整される、
ことを特徴とする、ＬＥＤ発光装置。
【請求項２】
前記第１電流制限回路は、
第１制御端子に印加される電圧に応じて前記第１電流入力端子から前記第１電流出力端子の間を流れる第１電流を制御する第１電流制限素子と、
前記第１電流入力端子に一端が接続し、前記第１制御端子に他端が接続する第１プルアップ抵抗と、
前記第１基準電圧入力端子に一端が接続する第１入力抵抗と、
前記第１入力抵抗の他端に一端が接続し、前記第１電流制限素子の電流出力端子に他端が接続する第１出力抵抗と、
前記第１基準電圧出力端子及び前記第１電流制限素子に一端が接続し、前記電流が戻る端子に他端が接続する第１検出抵抗と、
前記第１プルアップ抵抗に可変抵抗部が直列接続される第１制御素子と、を備え、
前記第１制御素子は、前記第１入力抵抗の他端及び前記第１出力抵抗の一端に接続する第２基準電圧端子を有し、前記第２基準電圧端子の電圧が第２基準電圧と一致するように前記可変抵抗部の抵抗を変化して前記第１制御端子の電圧を制御する、請求項１に記載のＬＥＤ発光装置。
【請求項３】
前記第１制御素子の前記可変抵抗部に並列接続された第１並列抵抗を更に有する、請求項２に記載のＬＥＤ発光装置。
【請求項４】
前記第１電流制限回路は、前記第１出力抵抗に並列接続されたチャタリング防止コンデンサを更に有する、請求項２又は３に記載のＬＥＤ発光装置。
【請求項５】
並列接続された複数の前記第１電流制限回路を有する、請求項２〜４の何れか一項に記載のＬＥＤ発光装置。
【請求項６】
前記第１電流制限素子は、並列接続された複数のＦＥＴを含む、請求項２〜４の何れか一項に記載のＬＥＤ発光装置。
【請求項７】
前記複数のＬＥＤの最終段のＬＥＤ以外のＬＥＤである第２接続ＬＥＤのカソードに接続する第３端子と、
第１電流入力端子、第２電流入力端子、第１基準電圧入力端子、及び第２電流出力端子を備える第２電流制限回路を更に有し、
前記第２電流制限回路の前記第１電流入力端子は、前記第１電流制限回路の第１電流出力端子と接続し、
前記第２電流制限回路の前記第２電流入力端子は、前記第３端子と接続し、
前記第２電流制限回路の前記第１基準電圧入力端子は、前記平滑回路の前記第１基準電圧出力端子に接続し、
前記第２電流制限回路の前記第２電流出力端子は、前記第２電流制限回路の前記第１電流入力端子及び前記第２電流入力端子から流入した電流を出力し、
前記第２電流制限回路の前記第１基準電圧入力端子の電圧は、前記第２電流制限回路の前記第２電流入力端子に流れる電流を調整する、請求項１〜６の何れか一項に記載のＬＥＤ発光装置。
【請求項８】
前記第２電流制限回路は、
第２制御端子に印加される電圧に応じて、前記第２電流入力端子から流れ込む第２電流を制御する第２電流制限素子と、
前記第２電流入力端子に一端が接続し、前記第２制御端子に他端が接続する第２プルアップ抵抗と、
前記第１基準電圧入力端子に一端が接続する第２入力抵抗と、
前記第２入力抵抗の他端に一端が接続し、前記第１電流入力端子に他端が接続する第２出力抵抗と、
前記第２電流制限素子の電流出力端子及び前記第１電流入力端子に一端が接続し、他端が前記第２電流出力端子に接続する第２検出抵抗と、
前記第２プルアップ抵抗に可変抵抗部が直列接続される第２制御素子と、を有し、
前記第２制御素子は、前記第２入力抵抗の他端及び前記第２出力抵抗の一端に接続する第２基準電圧端子を有し、前記第２基準電圧端子の電圧が第２基準電圧と一致するように前記可変抵抗部の抵抗を変化して前記第２制御端子の電圧を制御する、請求項７に記載のＬＥＤ発光装置。
【請求項９】
前記整流回路の電流を出力する端子と前記複数のＬＥＤの初段のＬＥＤのアノードとの間に一端が接続する電流制限抵抗と、
前記電流制限抵抗の他端にカソードが接続し、前記整流回路の電流が戻る端子にアノードが接続するツェナーダイオードと、
前記電流制限抵抗の他端にゲートが接続し、前記第１電流制限回路にソースが接続し、前記整流回路の電流が戻る端子にドレインが接続する電流制限ＦＥＴと、
を有する過電流防止回路を更に有する、請求項１〜８の何れか一項に記載のＬＥＤ発光装置。
【請求項１０】
前記ＬＥＤ列は、
直列接続された複数のＬＥＤを含む第１ＬＥＤ群と、
直列接続された複数のＬＥＤを含む第２ＬＥＤ群と、
前記第１ＬＥＤ群の初段のアノード及び前記第２ＬＥＤ群の初段のアノードのそれぞれに接続する配線が分岐する第１分岐点と、
前記第１ＬＥＤ群の最終段のカソード及び前記第２ＬＥＤ群の最終段のカソードのそれぞれに接続する配線が分岐する第２分岐点と、
前記第１ＬＥＤ群の最終段のカソードと前記第２ＬＥＤ群の初段のアノードとの間に切断可能に配置された並列用切換素子と、
前記第２ＬＥＤ群の初段のアノードと前記第１分岐点との間に切断可能に配置された第１直列用切換素子と、
前記第１ＬＥＤ群の最終段のカソードと前記第２分岐点との間に切断可能に配置された第２直列用切換素子と、
を有する、請求項１〜９の何れか一項に記載のＬＥＤ発光装置。
【請求項１１】
前記ＬＥＤ列に並列接続された並列コンデンサと、
前記ＬＥＤ列の初段のアノード及び前記並列コンデンサと前記整流回路との間に配置された逆流防止ダイオードと、
を更に有する、請求項１〜１０の何れか一項に記載のＬＥＤ発光装置。
【発明の詳細な説明】
【技術分野】
【０００１】
本発明は、ＬＥＤ発光装置に関する。
【背景技術】
【０００２】
商用交流電源が供給する電圧の実効値は、様々な原因で変動することがある。しかしながら、商用交流電源の実効値変動にかかわらず、ＬＥＤ発光装置の明るさは一定であることが望まれる。【０００３】
ＬＥＤ発光装置は、ＡＣ駆動型とＤＣ駆動型に分類されることがある。これまで、ＡＣ駆動型のＬＥＤ発光装置は、ＬＥＤが直列接続したＬＥＤ列に交流電圧（又は全波整流波形）を印加し、ＬＥＤ列に流れる電流が周期的に変化するものとしてきた。同様に、ＤＣ駆動型のＬＥＤ発光装置は、ＬＥＤ列に整流・平滑した電圧を印加し、ＬＥＤ列に流れる電流が一定になるものとしてきた。【０００４】
しかしながら、最近では、主にフリッカ対策として、ＡＣ駆動型のＬＥＤ発光装置でもＬＥＤ列に安定した電流を流すようになり、前述の分類基準が相応しくなくなってきている。そこで、本明細書では、これまでの技術的発展を鑑みて、ＤＣ−ＤＣコンバータを備えていないＬＥＤ発光装置をＡＣ駆動型のＬＥＤ発光装置と呼び、ＤＣ−ＤＣコンバータを備えているＬＥＤ発光装置をＤＣ駆動型のＬＥＤ発光装置と呼ぶ。【０００５】
ＤＣ駆動型のＬＥＤ発光装置に内蔵されたＤＣ−ＤＣコンバータは、整流回路及び平滑用コンデンサによって商用交流電源から生成される比較的リップルの多い直流電圧を、基準電圧源の電圧を参照しながら昇圧又は降圧によって安定化し、この安定した直流電圧によりＬＥＤを駆動する。すなわち、ＤＣ駆動型のＬＥＤ発光装置は、ＤＣ−ＤＣコンバータが正常に動作するとき、商用交流電源の実効値が変動するか否かにかかわらず、明るさが変化しない。しかしながら、ＤＣ駆動型のＬＥＤ発光装置は、ＤＣ−ＤＣコンバータを有するため、電源回路が複雑化すると共に大型化・重量化するという課題がある。【０００６】
一方、多くのＡＣ駆動型のＬＥＤ発光装置は、商用交流電源を全波整流し、全波整流した電圧（全波整流波形）を直接的にＬＥＤ列に印加するので、電源回路が簡単であるという有利な特徴を備えている。しかしながら、単純に全波整流波形をＬＥＤ列に印加するだけのＡＣ駆動型のＬＥＤ発光装置では、商用交流電源の実効値の変化に応じてＬＥＤに供給する電流が変動することから、明るさが変化してしまう。つまり、このようなＡＣ駆動型のＬＥＤ発光装置では、商用交流電源の実効値の変化に応じて、ＬＥＤに流れる電流が増減すると共に、ＬＥＤが発光する点灯期間（以下、全波整流波形の１周期に対する点灯期間の割合を「デューティ」と呼ぶ。）が増減する。また、電流制限回路を追加し、各ＬＥＤに流れる電流の上限値が設定される場合でも、デューティは、商用交流電源の実効値の変化に応じて増減し、明るさが変化する。例えば、商用交流電源の実効値が増加したとき、デューティも増加し、ＬＥＤはより明るく点灯する。【０００７】
そこで、この不具合を解消するため、国際公開第２０１７／０５７４０１号（以下「特許文献１」と呼ぶ）には、商用交流電源の実効値に応じてデューティが変動しても、明るさがほぼ一定になるＡＣ駆動型のＬＥＤ発光装置が提案されている。特許文献１の図１に記載されたＬＥＤ発光装置は、対策前は矩形波であった電流波形の頂部に窪みを設け（特許文献１の図２参照）、全波整流波形の振幅が大きくなり、デューティが増加したときに、全波整流波形の形状に応答して窪みを大きくしてＬＥＤに流れる電流を減らしている。すなわち、特許文献１の図１に記載されたＬＥＤ発光装置は、デューティが増加するときにＬＥＤに流れる電流（瞬時値）を減少し、デューティが減少するときにＬＥＤに流れる電流を増加することで、ＬＥＤに流れる平均電流（明るさ）を一定にしている。【０００８】
ところが、特許文献１の図１に記載されたＬＥＤ発光装置は、電流波形が頂部の窪んだ矩形波となるため、ＴＨＤ（全高調波歪率）が大きくなる。そこで、ＴＨＤを軽減するため特許文献１の図１８には、商用交流電源の実効値の変化に応じて、ＬＥＤ電流の形状を矩形にしながら上限値を調整する（特許文献１の図１９参照）ＬＥＤ発光装置が記載されている。一般に実効値は全波整流波形の１周期に比べ著しく長い期間で変化するので、実効値に応じて上限電流を調整する特許文献１の図１８に記載されたＬＥＤ発光装置では、ＬＥＤ電流が窪みのない矩形波となる。この結果、特許文献１の図１８に記載されたＬＥＤ発光装置は、特許文献１の図１に記載されたＬＥＤ発光装置に比べ、ＴＨＤが減少する。
【発明の概要】
【０００９】
特許文献１の図１８に記載されたＬＥＤ発光装置は、実効値に応じてＬＥＤに流れる上限電流を調整するためオペアンプを使用していた。すなわち、オペアンプを使用するＬＥＤ発光装置は、ＬＥＤに電流を供給する電源以外に、オペアンプを駆動するための直流電源回路や基準電圧源、及びこれらのための実装領域や配線を備えることになり、電源回路が複雑化すると共に、大型化するという課題がある。
【００１０】
そこで、本開示は、この課題に鑑みて為されたものであり、新たな直流電源を準備しなくても実効値の変化と反対方向にＬＥＤ電流を調整できるＬＥＤ発光装置を提供することを目的とする。
【００１１】
上記目的を解決するため、開示されるＬＥＤ発光装置は、電流を出力する端子と電流が戻る端子を有する整流回路と、第１端子と第２端子を有するＬＥＤ列と、電圧入力端子及び第１基準電圧出力端子を備える平滑回路と、第１電流入力端子、第１電流出力端子及び第１基準電圧入力端子を備える第１電流制限回路と、を備え、電流を出力する端子は、第１端子に接続し、第２端子は、第１電流入力端子に接続し、電圧入力端子は、電流を出力する端子から第２端子に至る電流経路に接続し、第１基準電圧出力端子は、第１基準電圧入力端子に接続し、第１電流出力端子は、電流が戻る端子に接続し、整流回路は、交流電圧を全波整流し、平滑回路は、電圧入力端子の電圧を平滑し、平滑した電圧を第１基準電圧出力端子から出力し、第１電流制限回路は、ＬＥＤ列に含まれるＬＥＤが発光しているとき、第１電流入力端子に流れる電流が第１基準電圧入力端子の電圧で調整されることを特徴とする。
【００１２】
さらに、開示されるＬＥＤ発光装置では、第１電流制限回路は、第１制御端子に印加される電圧に応じて第１電流入力端子から第１電流出力端子の間を流れる第１電流を制御する第１電流制限素子と、第１電流入力端子に一端が接続し、第１制御端子に他端が接続する第１プルアップ抵抗と、第１基準電圧入力端子に一端が接続する第１入力抵抗と、第１入力抵抗の他端に一端が接続し、第１電流制限素子の電流出力端子に他端が接続する第１出力抵抗と、第１電流出力端子の他端に一端が接続する第１検出抵抗と、第１プルアップ抵抗に可変抵抗部が直列接続される第１制御素子と、を備え、第１制御素子は、第１入力抵抗の他端及び第１出力抵抗の一端に接続する第２基準電圧端子を有し、第２基準電圧端子の電圧が第２基準電圧と一致するように可変抵抗部の抵抗を変化して第１制御端子の電圧を制御することが好ましい。
【００１３】
さらに、開示されるＬＥＤ発光装置では、第１制御素子の可変抵抗部に並列接続された第１並列抵抗を更に有することが好ましい。
【００１４】
さらに、開示されるＬＥＤ発光装置では、第１電流制限回路は、第１出力抵抗に並列接続されたチャタリング防止コンデンサを更に有することが好ましい。
【００１５】
さらに、開示されるＬＥＤ発光装置は、並列接続された複数の第１電流制限回路を有することが好ましい。
【００１６】
さらに、開示されるＬＥＤ発光装置では、第１電流制限素子は、並列接続された複数のＦＥＴを含むことが好ましい。
【００１７】
さらに、開示されるＬＥＤ発光装置は、複数のＬＥＤの最終段のＬＥＤ以外のＬＥＤである第２接続ＬＥＤのカソードに接続する第３端子と、第１電流入力端子、第２電流入力端子、第１基準電圧入力端子、及び第２電流出力端子を備える第２電流制限回路を更に有し、第１電流入力端子は、第１電流制限回路の第１電流出力端子と接続し、第２電流入力端子は、第３端子と接続し、第１基準電圧入力端子は、平滑回路の第１基準電圧出力端子に接続し、第２電流出力端子は、第１電流入力端子及び第２電流入力端子から流入した電流を出力し、第１電圧基準電圧入力端子の電圧は、第２電流入力端子に流れる電流を調整することが好ましい。
【００１８】
さらに、開示されるＬＥＤ発光装置では、第２制御端子に印加される電圧に応じて、第２電流入力端子から流れ込む第２電流を制御する第２電流制限素子と、第２電流入力端子に一端が接続し、第２制御端子に他端が接続する第２プルアップ抵抗と、第１基準電圧入力端子に一端が接続する第２入力抵抗と、第２入力抵抗の他端に一端が接続し、第１電流入力端子に他端が接続する第２出力抵抗と、第２電流制限素子の電流出力端子及び第１電流入力端子に一端が接続し、他端が第２電流出力端子に接続する第２検出抵抗と、第２プルアップ抵抗に可変抵抗部が直列接続される第２制御素子と、を有し、第２制御素子は、第２入力抵抗の他端及び第２出力抵抗の一端に接続する第２基準電圧端子を有し、第２基準電圧端子の電圧が第２基準電圧と一致するように可変抵抗部の抵抗を変化して第２制御端子の電圧を制御することが好ましい。
【００１９】
さらに、開示されるＬＥＤ発光装置は、整流回路の電流を出力する端子と複数のＬＥＤの初段のＬＥＤのアノードとの間に一端が接続する電流制限抵抗と、電流制限抵抗の他端にカソードが接続し、整流回路の電流が戻る端子にアノードが接続するツェナーダイオードと、電流制限抵抗の他端にゲートが接続し、第１電流制限回路にソースが接続し、整流回路の電流が戻る端子にドレインが接続する電流制限ＦＥＴと、を有する過電流防止回路を更に有することが好ましい。
【００２０】
さらに、開示されるＬＥＤ発光装置では、ＬＥＤ列は、直列接続された複数のＬＥＤを含む第１ＬＥＤ群と、直列接続された複数のＬＥＤを含む第２ＬＥＤ群と、第１ＬＥＤ群の初段のアノード及び第２ＬＥＤ群の初段のアノードのそれぞれに接続する配線が分岐する第１分岐点と、第１ＬＥＤ群の最終段のカソード及び第２ＬＥＤ群の最終段のカソードのそれぞれに接続する配線が分岐する第２分岐点と、第１ＬＥＤ群の最終段のカソードと第２ＬＥＤ群の初段のアノードとの間に切断可能に配置された並列用切換素子と、第２ＬＥＤ群の初段のアノードと第１分岐点との間に切断可能に配置された第１直列用切換素子と、第１ＬＥＤ群の最終段のカソードと第２分岐点との間に切断可能に配置された第２直列用切換素子とを有することが好ましい。
【００２１】
さらに、開示されるＬＥＤ発光装置は、ＬＥＤ列に並列接続された並列コンデンサと、ＬＥＤ列の初段のアノード及び並列コンデンサと整流回路との間に配置された逆流防止ダイオードとを更に有することが好ましい。
【００２２】
開示されるＬＥＤ発光装置は、良く知られた電流制限回路の負帰還制御部に、商用電源の実効値変動に係る情報を重畳し、電流制限回路の上限電流を調整する。すなわち、これまでの電流制限回路は、流入する電流について負帰還制御して上限電流を制限していたところ、開示されるＬＥＤ発光装置では、実効値変動に係る情報を第１基準電圧として提供する平滑回路を設け、電流制限回路の負帰還部に第１基準電圧を加算することで、電流制限回路に流入する電流に係る情報及び実効値に係る情報に基づく負帰還制御を行い、電流制限回路の上限電流を設定している。このとき、平滑回路は、良く知られているように抵抗やコンデンサで構成できる。また、負帰還部に第１基準電圧を加算することは、抵抗のネットワークで実現できる。さらに、負帰還制御部を構成する反転増幅器は、ＬＥＤ列に電流が流れないとき電流制限素子を制御しなくて良いため、電源をＬＥＤ列からとることができる。この結果、開示されるＬＥＤ発光装置は、新たな直流電源を準備しなくても実効値の変化と反対方向にＬＥＤ電流を調整できる。
【図面の簡単な説明】
【００２３】
【図１】第１実施形態としてＬＥＤ発光装置のブロック図である。
【図２】図１に示すＬＥＤ発光装置の回路図である。
【図３】図１及び２に示すＬＥＤ発光装置の回路における波形図である。
【図４】第２実施形態として示すＬＥＤ発光装置の回路図である。
【図５】図４に示すＬＥＤ発光装置の回路における波形図である。
【図６】第３実施形態として示すＬＥＤ発光装置の回路図である。
【図７】図６に示すＬＥＤ発光装置の回路における波形図である。
【図８】第４実施形態として示すＬＥＤ発光装置の回路図である。
【図９】図８に示すＬＥＤ発光装置の回路における波形図である。
【図１０】第５実施形態に係るＬＥＤ発光装置の回路図である。
【図１１】第６実施形態に係るＬＥＤ発光装置の回路図である。
【図１２】第７実施形態に係るＬＥＤ発光装置の回路図である。
【図１３】第８実施形態に係るＬＥＤ発光装置の回路図である。
【図１４】（ａ）は、ＬＥＤ列の入力端子の電圧の１周期当たりの経時変化を示す図であり、（ｂ）は、ＬＥＤ列の出力端子の電圧の１周期当たりの経時変化を示す図である。
【図１５】図１３に示すＬＥＤ発光装置に入力される交流電圧の実効値と、平滑回路によって平滑化された電圧との関係を示す図である。
【図１６】第９実施形態に係るＬＥＤ発光装置の回路図である。
【図１７】第１０実施形態に係るＬＥＤ発光装置の回路図である。
【図１８】（ａ）は、図１７に示すＬＥＤ発光装置の斜視図であり、（ｂ）は、図１７に示すＬＥＤ発光装置の平面図であり、（ｃ）は、図１７に示すＬＥＤ発光装置の側面図である。
【図１９】第１０実施形態に係るＬＥＤ発光装置の変形例に係るＬＥＤ発光装置の回路図である。
【発明を実施するための形態】
【００２４】
以下、図１〜１９を参照しながら好適な実施形態について詳細に説明する。なお、図面の説明において、同一又は相当要素には同一の符号を付し、重複する説明は省略する。
【００２５】
（第１実施形態）
図１は、第１実施形態として示すＬＥＤ発光装置１のブロック図であり、図２は、ＬＥＤ発光装置１の回路図である。図１及び２に示すように、ＬＥＤ発光装置１は、整流回路１０１と、ＬＥＤ列１１と、平滑回路１２と、第１電流制限回路１３とを有する。説明のため、図２において、ＬＥＤ発光装置１に交流電圧を供給する商用交流電源１００が記される（以下同様）。
【００２６】
整流回路１０１は、４個のダイオード１０ａ、１０ｂ、１０ｃ、１０ｄを有し、商用交流電源１００が供給する交流電圧を全波整流する。商用交流電源１００は、ダイオード１０ａ、１０ｂのアノード及びダイオード１０ｃ、１０ｄのカソード（整流回路１０１の入力端子）に接続する。ダイオード１０ａ、１０ｂのカソードは、整流回路１０１の電流を出力する端子であり、ダイオード１０ｃ、１０ｄのアノードは、整流回路１０１の電流が戻る端子であり、ＬＥＤ発光装置１のグランドレベルになる。整流回路１０１は、商用交流電源１００から供給される交流電圧を全波整流し、負荷に出力する。整流回路１０１の負荷が抵抗であるとき、整流回路１０１の出力端子の間の電圧は、全波整流波形となる。
【００２７】
ＬＥＤ列１１は、直列接続した複数のＬＥＤ１１０を含み、初段のＬＥＤ１１０のアノード（以下「第１端子」という）は、整流回路１０１の電流を出力する端子と接続する。なお、ＬＥＤ列１１の最終段のＬＥＤ１１０のカソードを「第２端子」とする。ＬＥＤ列１１の第１端子には、整流回路１０１が全波整流した電圧が印加される。
【００２８】
平滑回路１２は、第１平滑抵抗２１と、第２平滑抵抗２２と、平滑コンデンサ２３とを有し、第１平滑抵抗２１の左端が電圧入力端子、右端が第１基準電圧出力端子、第２平滑抵抗２２及び平滑コンデンサ２３の下端が平滑回路１２のグランド端子となる（図１及び図２参照）。 平滑回路１２は、第１平滑抵抗２１を介して入力する電圧（全波整流波形と同期して変動する電圧）を平滑化した第１基準電圧を生成し、生成した第１基準電圧を第１基準電圧出力端子から出力する。第１平滑抵抗２１の一端（電圧入力端子）は、ＬＥＤ列１１の最終段のＬＥＤ１１０のカソードである第２端子に接続し、第１平滑抵抗２１の他端（第1基準電圧出力端子）は、第２平滑抵抗２２及び平滑コンデンサ２３の一端に接続する。第２平滑抵抗２２は、第１平滑抵抗２１に直列接続し、平滑コンデンサ２３は、第２平滑抵抗２２に並列接続する。第１平滑抵抗２１の他端、第２平滑抵抗２２及び平滑コンデンサ２３の一端である第１基準電圧出力端子の電圧が第１基準電圧となる。また、平滑回路１２は、第１平滑抵抗２１を介して平滑コンデンサ２３に電荷を充電し、第２平滑抵抗２２を介して平滑コンデンサ２３に充電された電荷を放電する。平滑回路１２の第１基準電圧出力端子から出力される第１基準電圧は、ＬＥＤ列１１の第１出力端子から出力される電圧を第１平滑抵抗２１と第２平滑抵抗２２で分圧し、これを平均化した電圧とも言える。すなわち、第１基準電圧は、商用交流電源１００の実効値の変化に応じて変化する。商用交流電源１００の実効値が高くなると、第１基準電圧は高くなり、商用交流電源１００の実効値が低くなると、第１基準電圧は低くなる。
【００２９】
第１電流制限回路１３は、第１ＦＥＴ３０（第１電流制限素子）と、第１プルアップ抵抗３１と、第１入力抵抗３２と、第１出力抵抗３３と、第１検出抵抗３４と、第１トランジスタ３５（第１制御素子）と、第１チャタリング防止コンデンサ３６とを有する。第１電流制限回路１３は、第１電流入力端子がＬＥＤ列１１の第２端子、及び第１電流出力端子が整流回路の電流が戻る端子に接続し、予め設定された上限電流（第１基準電圧入力端子をオープンとしたとき設定される上限電流）が、全波整流された電圧（又は商用電源の実効値）に応じて変化する第１基準電圧により調整される。このとき、パルス波形が矩形状の第１電流が複数のＬＥＤ１１０のそれぞれに流れる。
【００３０】
第１電流制限回路１３は、新たな直流電源から電力が供給されるオペアンプを使用することなく、ＦＥＴ、抵抗、トランジスタ及びコンデンサ等のいわゆるディスクリート品で構成され、整流回路１０１からＬＥＤ列１１を介して印加される電圧によって駆動される。
【００３１】
第１ＦＥＴ３０のゲートは、第１プルアップ抵抗３１及び第１トランジスタ３５のコレクタに接続する。第１ＦＥＴ３０のドレイン（第１電流入力端子を構成する）は、ＬＥＤ列１１の第２端子及び第１平滑抵抗２１の一端に接続する。第１ＦＥＴ３０のドレインは、ＬＥＤ列１１から電流が入力される第１電流入力端子であり、第１ＦＥＴ３０のソースは、ドレインとの間に第１電流が流れる第１ＦＥＴの電流出力端子である。また、第１ＦＥＴ３０のゲートは、印加される電圧に応じて第１電流を制御する第１制御端子である。
【００３２】
第１プルアップ抵抗３１の一端（第１ＦＥＴ３０のドレインとともに第１電流入力端子を構成する）は、ＬＥＤ列１１の第２端子に接続し、第１プルアップ抵抗３１の他端は、第１ＦＥＴ３０のゲート及び第１トランジスタ３５のコレクタに接続する。
【００３３】
第１入力抵抗３２の一端（第１基準電圧入力端子）は、平滑回路１２の第１基準電圧出力端子に接続し、第１入力抵抗３２の他端は、第１出力抵抗３３の一端に接続する。第１出力抵抗３３の他端は、第１検出抵抗３４の一端と接続する。
【００３４】
第１検出抵抗３４の一端は、第１ＦＥＴ３０のソース及び平滑回路１２の平滑回路のグランド端子に接続し、第１検出抵抗３４の他端（第１電流出力端子を構成する）は、整流回路１０１の電流が戻る端子に接続する。なお、平滑回路１２のグランド端子は、整流回路１０１の電流が戻る端子に接続しても良いが、この場合に比べて、第１検出抵抗３４の他端に接続することで負帰還制御に係る応答性を改善している。
【００３５】
第１トランジスタ３５のコレクタは、第１プルアップ抵抗３１の他端及び第１ＦＥＴ３０のゲートに接続し、第１トランジスタ３５のエミッタは、整流回路１０１の電流が戻る端子及び第１検出抵抗３４の他端に接続する。第１トランジスタ３５のベースは、第１入力抵抗３２の他端及び第１出力抵抗３３の一端に接続し、第２基準電圧端子を構成する。
【００３６】
第１トランジスタ３５のベースの電圧は、負帰還が正常に動作するとき、整流回路１０１の電流が戻る端子の電圧であるグランド電圧から第１トランジスタ３５のベース−エミッタ間電圧（約０．６Ｖ）分高い電圧である。なお、ベース−エミッタ間電圧が第２基準電圧となる。
【００３７】
第１トランジスタ３５のコレクタ−エミッタ間は、第１プルアップ抵抗３１と直列接続される可変抵抗部である。第１トランジスタ３５（第１制御素子）は、ベースである第２基準電圧端子の電圧が第２基準電圧（約０．６Ｖ）となるように可変抵抗部の抵抗を変化させて、第１ＦＥＴ３０のゲートの電圧を制御する。
【００３８】
第１チャタリング防止コンデンサ３６は、第１出力抵抗３３に並列接続し、第１ＦＥＴ３０の動作と第１トランジスタ３５の動作とのタイミングのずれに起因してチャタリングが発生することを防止する。
【００３９】
次に、図３を参照して図１及び２に示したＬＥＤ発光装置１の動作を説明する。図３は、ＬＥＤ発光装置１に流れる電流の説明図であり、（ａ）は、一周期分の全波整流波形を示し、（ｂ）は、ＬＥＤ列１１に流れる電流を示す。図３（ａ）において、縦軸Ｖは、電圧であり、横軸ｔは、時間である。図３（ｂ）において、縦軸Ｉは、電流であり、横軸ｔは、時間である。なお、図３（ａ）、３（ｂ）の横軸ｔは対応している。また、図３の説明にあたり、特別な指示をすることなく図１及び２を参照する。
【００４０】
なお、第１平滑抵抗２１、第２平滑抵抗２２、第１プルアップ抵抗３１、第１入力抵抗３２及び第１出力抵抗３３に流れる電流は、第１ＦＥＴ３０のドレイン電流及び第１検出抵抗３４を流れる電流に比べ著しく小さい。そこで、平滑回路１２及び第１電流制限回路１３に流れる電流は、特別に明示する場合に説明され、平滑回路１２及び第１電流制限回路１３の電圧を参照してＬＥＤ発光装置１の動作が説明される。
【００４１】
図３（ａ）において、全波整流波形２０１は、実効値が１００Ｖ（通常状態）の状態を示し、全波整流波形２０２は、実効値が１２０Ｖの状態を示し、全波整流波形２０３は、実効値が８０Ｖの状態を示す。実効値１００Ｖの全波整流波形２０１が標準的な状態であり、全波整流波形２０２及び２０３は何らかの原因で商用交流電源１００の電圧が変動した状態である。
【００４２】
図３（ａ）において、電圧Ｖｔは、ＬＥＤ列１１に含まれる複数のＬＥＤ１１０の全てが発光する電圧である閾値電圧（以下「閾値Ｖｔ」という）を示す。ＬＥＤ列１１に印加される電圧が閾値Ｖｔ未満であるとき、ＬＥＤ列１１の含まれるＬＥＤ１１０に電流が流れず、ＬＥＤ列１１に印加される電圧が閾値Ｖｔ以上であるとき、ＬＥＤ列１１の含まれるＬＥＤ１１０に電流が流れる。閾値Ｖｔは、ＬＥＤ列１１において直列接続する各ＬＥＤ１１０の順方向電圧ドロップを合計した電圧である。また、ＬＥＤ列１１において、各ＬＥＤ１１０の特性が全て等しいとき、閾値Ｖｔは、ＬＥＤ１１０の順方向ドロップとＬＥＤ１１０の直列段数の積である。
【００４３】
図３（ｂ）において、電流波形２０４は、図３（ａ）で示した全波整流波形２０１に応じてＬＥＤ発光装置１に流れる電流を示す。電流波形２０５、２０６は、それぞれ全波整流波形２０２、２０３に対応してＬＥＤ発光装置１に流れる電流を示す。
【００４４】
図３（ｂ）に示すように、電流波形２０４が示す電流は、全波整流波形２０１の電圧が閾値Ｖｔより低い期間で０（Ａ）である。全波整流波形２０１の電圧が上昇する位相では、電流波形２０４が示す電流は、全波整流波形２０１の電圧が閾値Ｖｔまで上昇すると急激に増加する。全波整流波形２０１の電圧が閾値Ｖｔよりも高い位相では、電流波形２０４が示す電流は、上限値が制限されて一定値になる（全波整流波形２０１の電圧が閾値Ｖｔよりも高い位相では、電流波形２０４の形状が平坦となる）。全波整流波形２０１の電圧が下降する位相では、電流波形２０４が示す電流は、全波整流波形２０１の電圧が閾値Ｖｔまで下降すると急激に減少する。全波整流波形２０１の１周期に対応するＬＥＤ列１１の電流波形２０４の形状は、略矩形となる。
【００４５】
同様に、実効値が異なる全波整流波形２０２、２０３に対しても、ＬＥＤ列１１の電流波形２０５、２０６の形状は略矩形となる。
【００４６】
しかしながら、ＬＥＤ列１１に全波整流波形２０１より実効値の大きい全波整流波形２０２が印加されると、電流波形２０５は、電流波形２０４に比べ、デューティが大きくなる一方で、ピーク値が電流波形２０４に比べて低下する。すなわち、全波整流波形２０２がＬＥＤ列１１に印加されるとき、ＬＥＤ発光装置１は、通常状態に比べ、ＬＥＤ列１１に含まれる複数のＬＥＤ１１０の点灯期間が長くなる一方で、ＬＥＤ列１１に含まれる複数のＬＥＤ１１０の点灯時における輝度を低下させる。この結果、ＬＥＤ発光装置１は、ＬＥＤ列１１に印加する電圧波形が全波整流波形２０１の場合と全波整流波形２０２の場合とで、明るさを略同一にする。
【００４７】
全波整流波形２０１より実効値の大きい全波整流波形２０２がＬＥＤ列１１に印加されると、平滑回路１２の第１基準電圧出力端子の電圧である第１基準電圧は、全波整流波形２０１がＬＥＤ列１１に印加されるときよりも上昇する。第１基準電圧が上昇すると、０．６Ｖで維持される第１トランジスタ３５のベースの電圧である第２基準電圧との電位差が大きくなり、第１入力抵抗３２を流れる電流が大きくなる。第１入力抵抗３２を流れる電流が大きくなることに応じて、第１出力抵抗３３に流れる電流が大きくなるので、第１出力抵抗３３における電圧降下δは、全波整流波形２０１がＬＥＤ列１１に印加されるときよりも大きい。第１検出抵抗３４に流れる第１電流Ｉlimは、０．６Ｖである第２基準電圧Ｖbe及び第１検出抵抗３４の抵抗値Ｒsenから
【００４８】
【数１】
0006921340.tif 000002
【００４９】
で示される。第１電流Ｉlimは、第１出力抵抗３３における電圧降下δが大きくなることに応じて小さくなる。
【００５０】
ＬＥＤ列１１に全波整流波形２０１より実効値の小さい全波整流波形２０３が印加されるとき、電流波形２０６は、電流波形２０４に比べ、デューティが小さくなる一方でピーク値が上昇する。ＬＥＤ列１１に印加される電圧波形が全波整流波形２０３である場合、通常状態に比べ、ＬＥＤ列１１に含まれるＬＥＤ１１０の点灯期間が短くなる一方で、ＬＥＤ列１１に含まれるＬＥＤ１１０の点灯時における輝度が電流波形２０４に比べて増加する。この結果、ＬＥＤ発光装置１は、ＬＥＤ列１１に含まれる複数のＬＥＤ１１０に印加する全波整流波形２０１の場合と全波整流波形２０３の場合とで、ＬＥＤ発光装置１の明るさを略同一にする。
【００５１】
全波整流波形２０１より実効値の小さい全波整流波形２０３がＬＥＤ列１１に印加されると、第１基準電圧は、全波整流波形２０１がＬＥＤ列１１に印加されるときよりも下降する。第１基準電圧が下降すると、０．６Ｖで維持される第１トランジスタ３５のベースの電圧である第２基準電圧との電位差が小さくなり、第１入力抵抗３２を流れる電流が小さくなる。第１入力抵抗３２を流れる電流が小さくなることに応じて、第１出力抵抗３３に流れる電流が小さくなるので、第１出力抵抗３３における電圧降下δは、全波整流波形２０１がＬＥＤ列１１に印加されるときよりも小さい。式（１）に示すように、第１電流Ｉlimは、第１出力抵抗３３における電圧降下δが小さくなることに応じて大きくなる。
【００５２】
ＬＥＤ発光装置１は、平滑回路１２により得られるＬＥＤ列１１の第２端子の平均的な電圧と、第１検出抵抗３４の一端の電圧により、第１ＦＥＴ３０に負帰還（ネガティブフィードバック）を掛ける。負帰還の基準となる第２基準電圧は、グランドから第１トランジスタ３５のベース−エミッタ間電圧（約０．６Ｖ）だけ高い電圧であり、負帰還が正常に掛かるとき、第２基準電圧は、約０．６Ｖである。商用交流電源１００の実効値が増加して、整流回路１０１からＬＥＤ列１１に電流が流れ込む期間が長くなるとき、第１ＦＥＴ３０に流れる電流の上限値が減少する。反対に、商用交流電源１００の実効値が減少して、整流回路１０１からＬＥＤ列１１に電流が流れ込む期間が短くなると、第１ＦＥＴ３０に流れる電流の上限値が増加する。
【００５３】
なお、第１入力抵抗３２及び第１出力抵抗３３を介さず、第１検出抵抗３４の一端を第１トランジスタ３５のベースに直接接続する第１ＦＥＴ３０、第１プルアップ抵抗３１、第１検出抵抗３４及び第１トランジスタ３５からなる回路は、良く知られた電流制限回路である。ＬＥＤ発光装置１では、この良く知られた電流制限回路に第１入力抵抗３２及び第１出力抵抗３３を加えることにより、第１ＦＥＴ３０に第１検出抵抗３４で検出した電流の情報に加え、商用交流電源１００の実効値に係る情報をフィードバックする。すなわち、第１電流制限回路１３は、商用交流電源１００の実効値が反映されたＬＥＤ列１１の電流制限回路となる。第１入力抵抗３２及び第１出力抵抗３３は、いわゆる電圧加算回路を構成している。
【００５４】
以上のように、ＬＥＤ発光装置１は、第１平滑抵抗２１、第２平滑抵抗２２、平滑コンデンサ２３、第１入力抵抗３２及び第１出力抵抗３３等の受動部品を追加し、これまで知られてきた電流制限回路に、商用交流電源１００の実効値の変化を打ち消す機能を与えた。つまり、ＬＥＤ発光装置１は、受動部品だけで構成した結果、新たな直流電源を準備しなくても実効値の変化と反対方向にＬＥＤ電流を調整でき、実効値に連動する明るさの変動を抑圧することができるようになった。
【００５５】
（第２実施形態）
ＡＣ駆動型のＬＥＤ発光装置では、ＬＥＤ列の中間点にバイパス回路を設け、点灯期間を広げ、明るさの向上と、フリッカ及びＴＨＤの低減とを図ることがある。そこで、図４及び図５を参照して、第２実施形態として、バイパス回路として機能する第２電流制限回路１４を備えたＬＥＤ発光装置２を説明する。図４は、ＬＥＤ発光装置２の回路図である。なお、図２のＬＥＤ発光装置１と同じ部材については同じ番号を付し、説明は省略する。図５は、ＬＥＤ発光装置２に流れる電流の説明図であり、（ａ）は、一周期分の全波整流波形、（ｂ）は、ＬＥＤ列１１に流れる電流を示している。図５（ａ）において、縦軸Ｖは、電圧、横軸ｔは、時間である。図５（ｂ）において、縦軸Ｉは、電流、横軸ｔは、時間である。なお図５（ａ）、５（ｂ）の横軸ｔは一致している。また、図５により、ＬＥＤ発光装置２の動作を説明するとき、特別な指示をすることなく図４を参照する。
【００５６】
図４に示すＬＥＤ発光装置２と図１及びに示すＬＥＤ発光装置１との差異として、ＬＥＤ発光装置２において、ＬＥＤ列１１が第１ＬＥＤ列１１ａと第２ＬＥＤ列１１ｂとを含むことが挙げられる。また、ＬＥＤ発光装置２とＬＥＤ発光装置１との差異として、第１ＬＥＤ列１１ａと第２ＬＥＤ列１１ｂの接続点とグランドとの間に第２電流制限回路１４を設けたことが挙げられる。第２電流制限回路１４以外のＬＥＤ発光装置２の構成要素の構成及び機能は、同一符号が付されたＬＥＤ発光装置１の構成要素の構成及び機能と同一なので、ここでは詳細な説明は省略する。
【００５７】
第１ＬＥＤ列１１ａ及び第２ＬＥＤ列１１ｂに含まれるＬＥＤ１１０の数は、同一でもよく相違してもよい。第１ＬＥＤ列１１ａの最終段のＬＥＤ１１０は、ＬＥＤ列１１に含まれる複数のＬＥＤの最終段のＬＥＤ以外のＬＥＤであり、第２接続ＬＥＤとも称される。第２接続ＬＥＤのカソード及び第２ＬＥＤ列１１ｂの初段のＬＥＤのアノードは、第３端子を構成し、第２電流制限回路１４の第２電流入力端子に接続する。
【００５８】
図４に示すように、第２電流制限回路１４は、第２ＦＥＴ４０と、第２プルアップ抵抗４１と、第２入力抵抗４２と、第２出力抵抗４３と、第２検出抵抗４４と、第２トランジスタ４５と、第２チャタリング防止コンデンサ４６とを有する。前述のように、第２電流制限回路１４の第２電流入力端子は、ＬＥＤ列１１の第３端子と接続する。この第２電流入力端子は、第２ＦＥＴ４０のドレインと第２プルアップ抵抗４１の上端とを含む。第２入力抵抗４２の右端は、第１基準電圧入力端子を構成し、平滑回路１２の第１電圧基準電圧出力端子及び第１電流制限回路１３の第１基準電圧入力端子と接続している。第２検出抵抗４４の右端は、第１電流入力端子を構成し、第１電流制限回路１３の第１電流出力端子と接続している。第２検出抵抗４４の左端は、第２電流出力端子を構成し、整流回路１０１の電流が戻る端子と接続している。 ＬＥＤ発光装置２では、第３端子から第２電流入力端子に流れ込む電流を第２電流とする。第２電流は、第１基準電圧及び第１電流により制限される。
【００５９】
符号４０〜４６で示した部品（第２ＦＥＴ４０、第２チャタリング防止コンデンサ４６等）のそれぞれは、符号３０〜３６で示した部品（第１ＦＥＴ３０、第１プルアップ抵抗３１、第１チャタリング防止コンデンサ３６等）と対応関係にある。第２ＦＥＴ４０は、第１ＦＥＴ３０と同様に商用交流電源１００の実効値変動を打ち消すようにして、第１ＬＥＤ列１１ａに流れる電流値の上限値を制限する。なお、第２電流制限回路１４では、第２ＬＥＤ列１１ｂに電流が流れ始めると、第２検出抵抗４４の一端（第１電流入力端子）の電圧が上昇し、第２ＦＥＴ４０がカットオフする。
【００６０】
図５（ａ）は、第１ＬＥＤ列１１ａの閾値Ｖｔ１が示されることが図３（ａ）と相違する。図５（ａ）における全波整流波形２０１、２０２、２０３は、図３（ａ）における全波整流波形２０１、２０２、２０３と同一である。図５（ｂ）において電流波形２１４、２１５、２１６は、それぞれ図５（ａ）で示した全波整流波形２０１、２０２、２０３に対応してＬＥＤ発光装置２に流れる電流を示す。
【００６１】
図５（ｂ）に示すように、通常状態の電流波形２１４は、全波整流波形２０１の電圧が閾値Ｖｔ１より低い期間では０（Ａ）である。全波整流波形２０１の電圧が上昇し、閾値Ｖｔ１まで上昇すると、第１ＬＥＤ列１１ａに第２電流が流れる始め、電流波形２１４は急激に立ち上がる。全波整流波形２０１の電圧が閾値Ｖｔ１以上であり、且つ、閾値Ｖｔ未満である期間では、第２電流制限回路１４が電流制限回路として機能し、電流波形２１４が平坦になる。全波整流波形２０１の電圧が閾値Ｖｔまで上昇すると、電流波形２１４は急激に立ち上がる。全波整流波形２０１の電圧が閾値Ｖｔ以上となる期間では、第１ＬＥＤ列１１ａ及び第２ＬＥＤ列１１ｂに第１電流が流れ、第２電流制限回路１４の第２ＦＥＴ４０がカットオフして、第２ＦＥＴ４０を介する電流経路が遮断される。全波整流波形２０１の電圧が閾値Ｖｔ以上となる期間では、第２ＦＥＴ４０の電流制限により電流波形２１４が、より高い値で平坦になる。全波整流波形２０１の電圧が下降する位相では、逆の過程を辿る。
【００６２】
同様に、実効値が異なる全波整流波形２０２、２０３に対しても、ＬＥＤ列１１の電流波形２１５、２１６は、段状の矩形波となる。
【００６３】
しかしながら、全波整流波形２０１より実効値の大きい全波整流波形２０２がＬＥＤ列１１に印加される場合、電流波形２１５は、ＬＥＤ１１０が点灯する期間が広がる一方で、それぞれの期間におけるピーク値が低下する。すなわち、ＬＥＤ列１１に印加される電圧波形が全波整流波形２０２の場合、ＬＥＤ発光装置２は、通常状態に比べ、ＬＥＤ列１１の点灯期間が長くなる一方で、ＬＥＤ列１１の点灯時における輝度を低下している。この結果、ＬＥＤ発光装置２は、ＬＥＤ列１１に印加される電圧波形が全波整流波形２０１の場合と全波整流波形２０２の場合とで、ＬＥＤ発光装置２の明るさを略同一にする。
【００６４】
全波整流波形２０１より実効値の小さい全波整流波形２０３をＬＥＤ列１１に印加する場合、ＬＥＤ発光装置２は、通常状態に比べ、ＬＥＤ列１１の点灯期間が短くなる一方で、ＬＥＤ列１１の点灯時における輝度が増加する。ＬＥＤ発光装置２は、ＬＥＤ列１１に印加する電圧波形が全波整流波形２０１の場合と全波整流波形２０３の場合とで、明るさを略同一にする。
【００６５】
ＬＥＤ発光装置２では、第１基準電圧を出力する第１基準電圧端子は、第１入力抵抗３２及び第２入力抵抗４２のそれぞれに直接接続される。また、ＬＥＤ発光装置２では、第１検出抵抗３４及び第２検出抵抗４４は、直列接続される。第１ＦＥＴ３０に第１電流が流れるとき、平滑回路１２及び第１電流制限回路１３の双方は、第２検出抵抗４４の一端の電圧によりオフセットされる。平滑回路１２及び第１電流制限回路１３が同一電圧でオフセットされるので、第１検出抵抗３４に流れる第１電流Ｉlimは、第２基準電圧Ｖbe、第１出力抵抗３３における電圧降下δ及び第１検出抵抗３４の抵抗値Ｒsenとの間で式（１）の関係を充足する。また、第２ＦＥＴ４０に第２電流が流れるとき、第１検出抵抗３４に電流が流れないので、第２検出抵抗４４に流れる第２電流Ｉlimは、第２基準電圧Ｖbe、第２出力抵抗４３における電圧降下δ及び第２検出抵抗４４の抵抗値Ｒsenとの間で式（１）の関係を充足する。
【００６６】
ＬＥＤ発光装置２は、第１基準電圧端子は、第１入力抵抗３２及び第２入力抵抗４２に直接接続され、且つ、第１検出抵抗３４及び第２検出抵抗４４が直列接続されることで、第１電流及び第２電流が式（１）により規定できる。ＬＥＤ発光装置２は、第１電流及び第２電流が式（１）により規定することができるので、第１出力抵抗３３、第１検出抵抗３４、第２出力抵抗４３及び第２検出抵抗４４の抵抗値を所望の値に設定することで、第１電流及び第２電流を容易に規定できる。
【００６７】
（第３実施形態）
ＡＣ駆動型のＬＥＤ発光装置では、コンデンサを追加して、フリッカを改善することがある。そこで、図６及び図７により、第３実施形態として、フリッカ対策を施したＬＥＤ発光装置３を説明する。図６は、ＬＥＤ発光装置３の回路図である。なお、図１、図２、図４を参照して説明されたＬＥＤ発光装置１及び２と同じ部材については同じ番号を付し、説明は省略する。図７は、ＬＥＤ発光装置３に流れる電流の説明図であり、（ａ）は、一周期分の全波整流波形、（ｂ）は、整流回路１０１が出力する電流を示している。図７（ａ）は、図５（ａ）と同じものであり、縦軸Ｖは、電圧、横軸ｔは、時間である。図７（ｂ）において、縦軸Ｉは、電流、横軸ｔは、時間である。なお図７（ａ）、（ｂ）の横軸ｔは一致している。また、図７によりＬＥＤ発光装置３の動作を説明するとき、特別な指示をすることなく図６を参照する。
【００６８】
図６に示すＬＥＤ発光装置３と図４に示すＬＥＤ発光装置２との差異として、ＬＥＤ発光装置２において、第１ＬＥＤ列１１ａ及び第２ＬＥＤ列１１ｂにそれぞれに並列接続された第１並列コンデンサ４７及び第２並列コンデンサ３７を有することが挙げられる。また、ＬＥＤ発光装置３とＬＥＤ発光装置２との差異として、第１ＬＥＤ列１１ａ及び第２ＬＥＤ列１１ｂの初段のＬＥＤ１１０のアノードに第１逆流防止ダイオード３８及び第２逆流防止ダイオード４８を有することが挙げられる。図７（ｂ）に示す電流波形２２４、２２５、２２６は、図７（ａ）に示す全波整流波形２０１、２０２、２０３に対応して整流回路１０１が出力する電流である。
【００６９】
図７（ａ）で示す全波整流波形２０１〜２０３が閾値電圧Ｖｔ１に達しない期間、整流回路１０１から第１ＬＥＤ列１１ａに電流が流れ込まない。このとき、一例では電解コンデンサである第１並列コンデンサ４７が放電し、第１並列コンデンサ４７の放電により第１ＬＥＤ列１１ａが点灯する。同様に、図７（ａ）で示す全波整流波形２０１等が閾値電圧Ｖｔに達しない期間、整流回路１０１から第１ＬＥＤ列１１ａを経て第２ＬＥＤ列１１ｂに電流が流れ込まない。このとき、第２並列コンデンサ３７が放電し、第２並列コンデンサ３７の放電により第２ＬＥＤ列１１ｂが点灯する。すなわち、ＬＥＤ発光装置３において追加された第１並列コンデンサ４７及び第２並列コンデンサ３７は、ＬＥＤ発光装置２においてＬＥＤ列１１が消灯する不点灯期間を消滅させ、フリッカを低減する。
【００７０】
第１逆流防止ダイオード４８は、第１並列コンデンサ４７に受電された電荷が整流回路１０１に逆流することを防止し、第２逆流防止ダイオード３８は、第２並列コンデンサ３７に受電された電荷が第２電流制限回路１４に逆流することを防止する。
【００７１】
（第４実施形態）
図８及び図９により、第４実施形態として、第３実施形態であるＬＥＤ発光装置３にＴＨＤ対策を施したＬＥＤ発光装置４を説明する。図８は、ＬＥＤ発光装置４の回路図である。なお、図１、図２、図４、図６を参照して説明されたＬＥＤ発光装置１〜３と同じ部材については同じ番号を付し、説明は省略する。図９は、ＬＥＤ発光装置４に流れる電流の説明図であり、（ａ）は、一周期分の全波整流波形、（ｂ）は、整流回路１０１が出力する電流を示している。図９（ａ）は、図５（ａ）、図７（ａ）と同じものであり、縦軸Ｖは、電圧、横軸ｔは、時間である。図９（ｂ）において、縦軸Ｉは、電流、横軸ｔは、時間である。なお図９（ａ）、（ｂ）の横軸ｔは一致している。また、図９によりＬＥＤ発光装置４の動作を説明するとき、特別な指示をすることなく図８を参照する。
【００７２】
図８に示すＬＥＤ発光装置４と図６に示すＬＥＤ発光装置３との差異として、ＬＥＤ発光装置３において、第１トランジスタ３５、第２トランジスタ４５のコレクタ−エミッタ間にそれぞれに並列接続された第１並列抵抗３９及び第２並列抵抗４９を有することが挙げられる。図９（ｂ）に示す電流波形２２１、２２２、２２３は、図９（ａ）に示す全波整流波形２０１、２０２、２０３に対応して整流回路１０１が出力する電流である。
【００７３】
第１並列抵抗３９及び第２並列抵抗４９は、図７（ｂ）に示す電流波形２２４、２２５、２２６と比較して、図９（ｂ）に示すように電流波形２３４、２３５、２３６の肩の部分を丸くする。すなわち、ＬＥＤ発光装置４は、第１並列抵抗３９及び第２並列抵抗４９が追加されたことにより、ＬＥＤ発光装置３よりもＴＨＤが改善される。
【００７４】
（第５実施形態）
図１０は、第５実施形態に係るＬＥＤ発光装置５の回路図である。第５実施形態に係るＬＥＤ発光装置５は、ＬＥＤ列１１が第３ＬＥＤ列１１ｃを更に含むこと、及び第３電流制限回路１５、第３並列コンデンサ５７及び第３逆流防止ダイオード５８を有することが第３実施形態に係るＬＥＤ発光装置３と相違する。第３電流制限回路１５、第３並列コンデンサ５７及び第３逆流防止ダイオード５８以外のＬＥＤ発光装置５の構成要素の構成及び機能は、同一符号が付されたＬＥＤ発光装置３の構成要素の構成及び機能と同一なので、ここでは詳細な説明は省略する。
【００７５】
第１ＬＥＤ列１１ａ、第２ＬＥＤ列１１ｂ及び第３ＬＥＤ列１１ｃに含まれるＬＥＤ１１０の数は、同一でもよく相違してもよい。第１ＬＥＤ列１１ａの最終段のＬＥＤ１１０は、ＬＥＤ列１１に含まれる複数のＬＥＤの最終段のＬＥＤ以外のＬＥＤであり、第３接続ＬＥＤとも称される。第３接続ＬＥＤのカソードは、第２ＬＥＤ列１１ｂの初段のＬＥＤのアノード及び第３電流制限回路１５に接続する第４端子である。第２ＬＥＤ列１１ｂの最終段のＬＥＤ１１０は、第２接続ＬＥＤとも称される。第２接続ＬＥＤのカソードは、第３ＬＥＤ列１１ｃの初段のＬＥＤのアノード及び第２電流制限回路１４に接続する第３端子である。
【００７６】
第３電流制限回路１５は、第３ＦＥＴ５０と、第３プルアップ抵抗５１と、第３入力抵抗５２と、第３出力抵抗５３と、第３検出抵抗５４と、第３トランジスタ５５と、第３チャタリング防止コンデンサ５６とを有する。第３電流制限回路１５は、第４端子及び第１基準電圧出力端子に接続し、第１基準電圧に応じて平滑された第３電流が、ＬＥＤ列１１に含まれる複数のＬＥＤ１１０の初段のＬＥＤと第３接続ＬＥＤの間のＬＥＤのそれぞれに流れるように、第３電流を制限する。
【００７７】
第３トランジスタ５５及び第３チャタリング防止コンデンサ５６の構成及び機能は、第２トランジスタ４５及び第２チャタリング防止コンデンサ４６と同様なので、ここでは詳細な説明は省略する。
【００７８】
第３ＦＥＴ５０〜第３チャタリング防止コンデンサ５６のそれぞれは、第１ＦＥＴ３０〜第１チャタリング防止コンデンサ３６と対応関係にある。第３ＦＥＴ５０は、第１ＦＥＴ３０と同様に商用交流電源１００の実効値変動を打ち消すようにして、第１ＬＥＤ列１１ａに流れる電流値の上限値を制限する。第３電流制限回路１５では、第２ＬＥＤ列１１ｂに電流が流れ始めると、第３検出抵抗５４の一端の電圧が上昇し、第３ＦＥＴ５０がカットオフする。
【００７９】
（第６実施形態）
図１１は、第６実施形態に係るＬＥＤ発光装置６の回路図である。第６実施形態に係るＬＥＤ発光装置６は、第１電流制限回路１３ａを第１電流制限回路１３の代わりに有することがＬＥＤ発光装置１と相違する。第１電流制限回路１３ａ以外のＬＥＤ発光装置６の構成要素の構成及び機能は、同一符号が付されたＬＥＤ発光装置１の構成要素の構成及び機能と同一なので、ここでは詳細な説明は省略する。
【００８０】
第１電流制限回路１３ａは、第１検出抵抗３４と平滑回路１２との間の接続関係、及び第１チャタリング防止コンデンサ３６を有さないことが第１電流制限回路１３と相違する。第１電流制限回路１３ａでは、第１検出抵抗３４の一端は、第１ＦＥＴ３０のソース及び第１出力抵抗３３の他端に接続し、第１検出抵抗３４の他端は、平滑回路１２のグランド端子及び整流回路１０１の電流が戻る端子に接続する。
【００８１】
（第７実施形態）
ＬＥＤ発光装置１〜６では、平滑回路１２をＬＥＤ列１１の第２端子に接続するが、平滑回路１２が出力する第１基準電圧は、商用交流電源１００の実効値に連動して変化すれば良いので、平滑回路１２は、ＬＥＤ列１１の第２端子以外の端子に接続しても良い。例えば、平滑回路１２は、ＬＥＤ列１１の第１端子に接続しても良く、第１ＬＥＤ列１１ａと第２ＬＥＤ列１１ｂの接続点である第３端子に接続しても良い。また、平滑回路１２に含まれる第２平滑抵抗２２、平滑コンデンサ２３の他端は、グランドに接続しても良い。
【００８２】
図１２は、第７実施形態に係るＬＥＤ発光装置７の回路図である。第７実施形態に係るＬＥＤ発光装置７は、整流回路１０１及びＬＥＤ列１１と平滑回路１２との間の接続関係がＬＥＤ発光装置１と相違する。整流回路１０１及びＬＥＤ列１１と平滑回路１２との間の接続関係以外のＬＥＤ発光装置７の構成要素の構成及び機能は、同一符号が付されたＬＥＤ発光装置１の構成要素の構成及び機能と同一なので、ここでは詳細な説明は省略する。
【００８３】
平滑回路１２は、ＬＥＤ列１１の第２端子ではなく、整流回路１０１の電流を出力する端子及びＬＥＤ列１１の第１端子に接続される。ＬＥＤ発光装置７は、平滑回路１２が整流回路１０１の電流を出力する端子及びＬＥＤ列１１の第１端子に接続されるので、ＬＥＤ列１１における電圧降下の影響を受けることなく第１基準電圧を生成できるので、ＬＥＤ発光装置１よりも第１基準電圧を高くできる。
【００８４】
（第８実施形態）
図１３は、第８実施形態に係るＬＥＤ発光装置８の回路図である。第８実施形態に係るＬＥＤ発光装置８は、平滑回路１２ａを平滑回路１２の代わりに有することがＬＥＤ発光装置１と相違する。平滑回路１２ａ以外のＬＥＤ発光装置８の構成要素の構成及び機能は、同一符号が付されたＬＥＤ発光装置１の構成要素の構成及び機能と同一なので、ここでは詳細な説明は省略する。
【００８５】
平滑回路１２ａは、第１切換ダイオード２４、第３平滑抵抗２５、第４平滑抵抗２６、第２平滑コンデンサ２７、第２ダイオード２８を、第１平滑抵抗２１、第２平滑抵抗２２及び平滑コンデンサ２３に加えて有することが平滑回路１２と相違する。
【００８６】
図１４（ａ）は、ＬＥＤ列１１の第１端子の電圧の１周期当たりの経時変化を示す図であり、図１４（ｂ）は、ＬＥＤ列１１の第２端子の電圧の１周期当たりの経時変化を示す図である。図１４（ａ）及び１４（ｂ）において、横軸は時間を示し、図１４（ａ）及び１４（ｂ）のそれぞれの横軸が示す時間は互いに対応する。図１４（ａ）及び１４（ｂ）の縦軸は、電圧示す。
【００８７】
図１４（ａ）において、波形９０１〜９０５のそれぞれは、整流回路１０１に入力される交流電圧が変動したときの整流回路１０１によって整流された電圧を示す。波形９０１は、交流電圧の実効値が最も低い状態を示し、波形９０５は、交流電圧の実効値が最も高い状態を示す。
【００８８】
図１４（ｂ）において、波形９１１〜９１５のそれぞれは、波形９０１〜９０５のそれぞれに対応するＬＥＤ列１１の第２端子の電圧を示す。波形９１１〜９１５のそれぞれは、ＬＥＤ列１１に含まれるＬＥＤ１１０が発光を開始する閾値電圧を波形９０１〜９０５が示す電圧が超えるまでは０Ｖである。波形９１１〜９１５のそれぞれは、閾値電圧を波形９０１〜９０５が示す電圧が超えると、上昇する。波形９０１に対応する波形９１１のピーク値は、最も低く、波形９０５に対応する波形９１５のピーク値は、最も高い。
【００８９】
図１５は、ＬＥＤ発光装置８に入力される交流電圧の実効値と、平滑回路１２ａによって平滑化された電圧との関係を示す図である。図１５において、横軸は、ＬＥＤ発光装置８に入力される交流電圧の実効値を示し、縦軸は、平滑回路１２ａによって平滑化された電圧を示す。
【００９０】
第１基準電圧９３０は、図１３においてＶｆｂで示される第１入力抵抗３２の一端の電圧である。第１平滑電圧９３１は、図１３においてＶｋ１で示される平滑コンデンサ２３の一端の電圧であり、第２平滑電圧９３２は、図１３においてＶｉｎ１で示される第２平滑コンデンサ２７の一端の電圧である。第１平滑電圧９３１は、ＬＥＤ列１１に含まれるＬＥＤ１１０が発光を開始する閾値電圧に交流電圧の実効値が一致したときに０Ｖになる。また、第２平滑電圧９３２は、交流電圧の実効値が０Ｖになるときに０Ｖになる。
【００９１】
第１平滑電圧９３１が第２平滑電圧９３２よりも高いとき、第１基準電圧９３０は、第１平滑電圧９３１から第１切換ダイオード２４の順電圧だけ電圧降下した電圧である。第１平滑電圧９３１が第２平滑電圧９３２よりも低いとき、第１基準電圧９３０は、第２平滑電圧９３２から第２切換ダイオード２８の順電圧だけ電圧降下した電圧である。
【００９２】
（第９実施形態）
図１６は、第９実施形態に係るＬＥＤ発光装置９の回路図である。第９実施形態に係るＬＥＤ発光装置９は、平滑回路１２ｂを平滑回路１２の代わりに有することがＬＥＤ発光装置１と相違する。平滑回路１２ｂ以外のＬＥＤ発光装置９の構成要素の構成及び機能は、同一符号が付されたＬＥＤ発光装置１の構成要素の構成及び機能と同一なので、ここでは詳細な説明は省略する。
【００９３】
平滑回路１２ｂは、演算回路２９を有することが平滑回路１２と相違する。演算回路２９以外の平滑回路１２ｂの構成要素の構成及び機能は、同一符号が付された平滑回路１２の構成要素の構成及び機能と同一なので、ここでは詳細な説明は省略する。
【００９４】
演算回路２９は、例えばＭＰＵ（microprocessor unit）であり、種々のデータに基づいてＬＥＤ列１１の第２端子の電圧を補正して、第１電流制限回路１３に供給する第１基準電圧を演算する。演算回路２９は、整流回路１０１によって全波整流された電圧、ＬＥＤ列１１の第２端子以外の端子の電圧、ＬＥＤ発光装置９の外部の光の光強度を示す照度センサの出力電圧、及び温度を示すサーミスタの出力電圧等に基づいて第１基準電圧を演算する。
【００９５】
（第１０実施形態）
図１７は、第１０実施形態に係るＬＥＤ発光装置１０の回路図である。第１０実施形態に係るＬＥＤ発光装置１０は、整流回路１０１と、ＬＥＤ列１１と、平滑回路１２と、第１電流制限回路１３ｂと、第２電流制限回路１４と、第３電流制限回路１５と、第４電流制限回路１６と、第５電流制限回路１７と、第６電流制限回路１８とを有する。また、ＬＥＤ発光装置１０は、過電流防止回路１９を更に有する。整流回路１０１の構成及び機能は、図１等を参照して説明したので、ここでは詳細な説明は省略する。
【００９６】
ＬＥＤ列１１は、第１ＬＥＤ列１１ｄと、第２ＬＥＤ列１１ｅと、第３ＬＥＤ列１１ｆと、第４ＬＥＤ列１１ｇと、第５ＬＥＤ列１１ｈと、第６ＬＥＤ列１１ｉとを含む。第１ＬＥＤ列１１ｄは、第１ＬＥＤ群１１１、第２ＬＥＤ群１１２と、並列用切換素子１１３と、第１直列用切換素子１１４と、第２直列用切換素子１１５と、第１並列コンデンサ１１６と、第１逆流防止ダイオード１１７と、第１並列抵抗１１８とを有する。
【００９７】
第１ＬＥＤ群１１１及び第２ＬＥＤ群１１２のそれぞれは、直列接続された複数のＬＥＤ１１０を有する。並列用切換素子１１３、第１直列用切換素子１１４及び第２直列用切換素子１１５は、ジャンパーとも称される切断可能な配線素子である。並列用切換素子１１３は、第１ＬＥＤ群１１１の最終段のカソードと第２ＬＥＤ群１１２の初段のアノードとの間に配置される。第１直列用切換素子１１４は、第２ＬＥＤ群１１２の初段のアノードと、第１ＬＥＤ群１１１の初段のアノード及び第２ＬＥＤ群１１２の初段のアノードのそれぞれに接続する配線が分岐する第１分岐点との間に配置される。第２直列用切換素子１１５は、第１ＬＥＤ群１１１の最終段のカソードと、第１ＬＥＤ群１１１の最終段のカソード及び第２ＬＥＤ群１１２の最終段のカソードのそれぞれに接続する配線が分岐する第２分岐点との間に配置される。
【００９８】
並列用切換素子１１３が切断され、且つ、第１直列用切換素子１１４及び第２直列用切換素子１１５が切断されないとき、第１ＬＥＤ群１１１及び第２ＬＥＤ群１１２は、並列接続される。一方、並列用切換素子１１３が切断されず、且つ、第１直列用切換素子１１４及び第２直列用切換素子１１５が切断されるとき、第１ＬＥＤ群１１１及び第２ＬＥＤ群１１２は、直列接続される。
【００９９】
ＬＥＤ発光装置１０は、第１ＬＥＤ列１１ｄが第１ＬＥＤ群１１１及び第２ＬＥＤを直並列切換可能に配置することで、入力される交流電圧が１００Ｖ及び２００Ｖの何れの場合にも対応可能な構成とすることができる。
【０１００】
第１並列コンデンサ１１６及び第１逆流防止ダイオード１１７の構成及び機能は、図６等を参照して説明された第１並列コンデンサ３７及び第１逆流防止ダイオード３８の構成及び機能と同様なので、ここでは詳細な説明は省略する。第１並列抵抗１１８は、第１並列コンデンサ１１６と共に第１ＬＥＤ群１１１及び第２ＬＥＤ群１１２に並列接続される。
【０１０１】
第２ＬＥＤ列１１ｅ〜第６ＬＥＤ列１１ｉのそれぞれは、第１ＬＥＤ列１１ｄと同一の構成及び機能を有するので、ここでは詳細な説明は省略する。また、平滑回路１２は、図１等を参照して説明されたので、ここでは詳細な説明は省略する。
【０１０２】
第１電流制限回路１３ｂは、図１等を参照して説明された第１電流制限回路１３と同一の構成を有する４個の回路が並列接続される。第１電流制限回路１３ｂは、第１電流制限回路１３と同一の構成を有する４個の回路が並列接続されることで、ＦＥＴのそれぞれに流れる電流を低減し、ＬＥＤ発光装置１０が発光する間のＦＥＴの温度の上昇を低減する。
【０１０３】
第２電流制限回路１４〜第６電流制限回路１８のそれぞれは、図１等を参照して説明された第１電流制限回路１３と同様の構成及び機能を有するので、ここでは詳細な説明は省略する。
【０１０４】
過電流防止回路１９は、電流制限抵抗９１と、ツェナーダイオード９２と、電流制限ＦＥＴ９３とを有する。電流制限抵抗９１は、整流回路１０１の電流を出力する端子とＬＥＤ列１１に含まれる複数のＬＥＤの初段のＬＥＤのアノードとの間に一端が接続する。ツェナーダイオード９２は、電流制限抵抗９１の他端にカソードが接続し、整流回路１０１の電流が戻る端子にアノードが接続する。電流制限ＦＥＴ９３は、電流制限抵抗９１の他端にゲートが接続し、第２電流制限回路１４〜第６電流制限回路１８を介して第１電流制限回路１３ｄにドレインが接続し、整流回路１０１の電流が戻る端子にソースが接続する。
【０１０５】
過電流防止回路１９では、一例では１２Ｖであるツェナーダイオード９２のツェナー電圧よりも整流回路が全波整流する電圧が高くなり、ツェナーダイオード９２にツェナー電流が流れると、電流制限ＦＥＴ９３がオンする。ツェナーダイオード９２にツェナー電流が流れる間、電流制限ＦＥＴ９３は、ゲート電圧がツェナーダイオード９２のツェナー電圧に一致したときのドレイン電流以上の電流が流れないように電流を制限する電流制限素子として機能する。
【０１０６】
ＬＥＤ発光装置１０は、電流制限素子として機能する電流制限ＦＥＴ９３を有する過電流防止回路１９を有することで、整流回路１０１の入力に過電圧が印加された場合でもＬＥＤ列１１に含まれる複数のＬＥＤ１１０に流れる電流を制限することができる。第１電流制限回路１３ｂ〜第６電流制限回路１８のそれぞれのＦＥＴのドレイン電圧がブレークダウン電圧に達したときのＦＥＴの耐電圧は、ＦＥＴのブレークダウン電圧の２倍にＬＥＤ列に含まれる複数のＬＥＤ１１０による電圧降下分を加算した電圧である。
【０１０７】
図１８（ａ）は、ＬＥＤ発光装置９の斜視図であり、図１８（ｂ）は、ＬＥＤ発光装置９の平面図であり、図１８（ｃ）は、ＬＥＤ発光装置１０の側面図である。
【０１０８】
ＬＥＤ発光装置１０は、ＬＥＤ、電解コンデンサ、抵抗及びＦＥＴ等のＬＥＤ発光装置９を形成するディスクリート品である種々の構成要素が搭載される回路基板９０を有する。回路基板９０には、ＬＥＤ１１０、ＦＥＴ３０及び電解コンデンサである第１並列コンデンサ１１６等が搭載される。
【０１０９】
回路基板９０の外側には、ＬＥＤ１１０が配置され、ＬＥＤ１１０の内側には、ＦＥＴ３０及び抵抗等が配置され、ＦＥＴ３０及び抵抗等の内側には、第１並列コンデンサ１１６が配置される。回路基板９０のＬＥＤ１１０、ＦＥＴ３０及び抵抗等が配置される領域の裏面にはヒートシンク９５が配置される。
【０１１０】
ＬＥＤ発光装置１０は、ＬＥＤ１１０を回路基板９０の外周に配置し、且つ、高さが高い第１並列コンデンサ１１６を回路基板９０の中心に配置することで、ＬＥＤ１１０が発した光を第１並列コンデンサ１１６が遮って発光効率が低下するおそれが低い。また、ＬＥＤ発光装置１０は、同一の素子を所定の領域に集めて配置することで、効率的な配線が可能になる。
【０１１１】
また、ＬＥＤ発光装置１０は、回路基板９０の中心の配線経路を確保しつつ、ＬＥＤ及びＦＥＴ３０等の発熱部品をヒートシンク９５上に配置することで、放熱性は担保しつつ、ＬＥＤ発光装置１０を搭載する発光器具のサイズの最小化が可能になる。
【０１１２】
図１９は、第１０実施形態に係るＬＥＤ発光装置１０の変形例に係るＬＥＤ発光装置の回路図１０´である。ＬＥＤ発光装置１０の変形例に係るＬＥＤ発光装置１０´は、第１電流制限回路１３ｃを第１電流制限回路１３ｂの代わりに有することがＬＥＤ発光装置１０と相違する。第１電流制限回路１３ｃ以外のＬＥＤ発光装置１０´の構成要素の構成及び機能は、同一符号が付されたＬＥＤ発光装置１０の構成要素の構成及び機能と同一なので、ここでは詳細な説明は省略する。
【０１１３】
第１電流制限回路１３ｃは、並列接続された４個の第１ＦＥＴ３０を単一の第１ＦＥＴ３０の代わりに有することが第１電流制限回路１３と相違する。第１電流制限回路１３ｃは、並列接続された４個の第１ＦＥＴ３０を有することで、第１ＦＥＴ３０のそれぞれに流れる電流を低減し、ＬＥＤ発光装置１０´が発光する間のＦＥＴの温度の上昇を低減する。
【０１１４】
（実施形態に係るＬＥＤ発光装置の変形例）
説明された実施形態では、第１電流制限回路が有する第１電流制限素子は、ＦＥＴであるが、実施形態に係るＬＥＤ発光装置は、トランジスタをＦＥＴの代わりに第１電流制限素子として有してもよい。トランジスタをＦ第１電流制限素子として使用するとき、第２端子に接続する第１電流入力端子はコレクタであり、第１電流入力端子との間に第１電流が流れる第２端子はエミッタである。また、印加される電圧に応じて第１電流を制御する第１制御端子は、ベースである。
【０１１５】
また、説明された実施形態では、第１電流制限回路が有する第１制御素子は、トランジスタであるが、実施形態に係るＬＥＤ発光装置は、可変抵抗部及び第２基準電圧端子に対応する構成を有する素子をトランジスタの代わりに第１制御素子として有してもよい。例えば、実施形態に係るＬＥＤ発光装置は、シャントレギュレータを第１制御素子として有してもよい。
【０１１６】
なお、実施形態に係るＬＥＤ発光装置は、以下に示す態様であってもよい。
（１）商用交流電源を全波整流する整流回路と、
整流回路と接続し、複数のＬＥＤが直列接続したＬＥＤ列と、
ＬＥＤ列と接続する電流制限素子と、
電流制限素子と接続する電流検出抵抗と、
コンデンサ及び２個の抵抗を含み、ＬＥＤ列に接続する積分回路と、
２個の抵抗を含み、積分回路の出力電圧と電流検出抵抗の一端の電圧を加算する加算部と、
トランジスタ及び抵抗を含み、トランジスタのベースが加算部に接続し、トランジスタのコレクタが抵抗及び電流制限素子の制御端子に接続する反転増幅器とを備える
ことを特徴とするＬＥＤ発光装置。
（２）ＬＥＤ列は、第１部分ＬＥＤ列と第２部分ＬＥＤ列を含み、
第１部分ＬＥＤ列と第２部分ＬＥＤ列は、順に整流回路側から直列接続し、
第１部分ＬＥＤ列と第２部分ＬＥＤ列の接続点に接続する他の電流制限素子と、
他の電流制限素子に接続する他の電流検出抵抗と、
２つの抵抗を含み、積分回路の出力電圧と他の電流検出抵抗の一端の電圧を加算する他の加算部と、
トランジスタ及び抵抗を含み、トランジスタのベースが他の加算部に接続し、トランジスタのコレクタが抵抗及び他の電流制限素子の制御端子に接続する他の反転増幅器とを備え、
第２部分ＬＥＤ列を流れる電流が、他の電流検出回路に流れ込む
ことを特徴とする（１）に記載のＬＥＤ発光装置。
（３）反転増幅器に含まれるトランジスタ及び他の反転増幅器に含まれるトランジスタは、それぞれコレクタとエミッタ間に抵抗を並列接続している
ことを特徴とする（１）又は（２）に記載のＬＥＤ発光装置。
【図１】
0006921340.tif 000003
【図２】
0006921340.tif 000004
【図３】
0006921340.tif 000005
【図４】
0006921340.tif 000006
【図５】
0006921340.tif 000007
【図６】
0006921340.tif 000008
【図７】
0006921340.tif 000009
【図８】
0006921340.tif 000010
【図９】
0006921340.tif 000011
【図１０】
0006921340.tif 000012
【図１１】
0006921340.tif 000013
【図１２】
0006921340.tif 000014
【図１３】
0006921340.tif 000015
【図１４】
0006921340.tif 000016
【図１５】
0006921340.tif 000017
【図１６】
0006921340.tif 000018
【図１７】
0006921340.tif 000019
【図１８】
0006921340.tif 000020
【図１９】
0006921340.tif 000021